(57)【要約】【課題】簡単な構成で確実にブローバイガスを吸気経路に還流させることができるブローバイガス還流構造を構成することができるレゾネータを提供する。【解決手段】エアクリーナによって濾過された新気を導入する導入口と、該新気を内燃機関へ送出する送出口を備える経路室と、前記経路室と連通するレゾネータ室とを備えるレゾネータにおいて、前記経路室は、ブローバイガスを導入するとともに、前記経路室と連通するブローバイ室を備える。【選択図】図３
2015096705.tif 000002
【特許請求の範囲】
【請求項１】
エアクリーナによって濾過された新気を導入する導入口と、該新気を内燃機関へ送出する送出口を備える経路室と、前記経路室と連通するレゾネータ室とを備えるレゾネータにおいて、
前記経路室は、ブローバイガスを導入するとともに、前記経路室と連通するブローバイ室を備えることを特徴とするレゾネータ。
【請求項２】
請求項１に記載のレゾネータにおいて、
前記導入口、前記送出口が形成された有底筒状のチャンバ部材と、
前記チャンバ部材と組み合わされる有底筒状のケース部材と、
前記チャンバ部材と前記ケース部材に挟持されて、前記経路室と前記レゾネータ室を画成するセパレータ部材を備え、
前記チャンバ部材、前記ケース部材及び前記セパレータ部材は３部材が同時に溶着されることを特徴とするレゾネータ。
【請求項３】
請求項２に記載のレゾネータにおいて、
前記セパレータ部材は、前記経路室と前記レゾネータ室を画成する画成部と、前記画成部から前記経路室に突出するとともに前記経路室と前記レゾネータ室を連通する連通口が形成される側壁部を備え、
前記ブローバイ室は、前記チャンバ部材の内壁、前記側壁部及び前記ケース部材に形成された底部によって画成されることを特徴とするレゾネータ。
【発明の詳細な説明】
【技術分野】
【０００１】
本発明は、自動車等の内燃機関に導入する外気を清浄するエアクリーナに接続されて、内燃機関の吸気音を低減するレゾネータに関し、特に内燃機関の駆動によって生じたブローバイガスを吸気経路に還流するためのブローバイガス還流構造を備えるレゾネータに関する。
【背景技術】
【０００２】
従来より、内燃機関に導入する新気を清浄するエアクリーナや、該エアクリーナに接続して新気を導入する外気ダクトを備える吸気装置として種々の形態の吸気装置が知られており、新気の導入に伴う吸気音を低減させるために、共振によって吸気脈動を抑えるレゾネータを取り付けることが知られている。
【０００３】
また、このような吸気装置は、ブローバイガスが発生した際に、吸気経路に該ブローバイガスを還流させるブローバイガス還流構造を備えることも知られている。
【先行技術文献】
【特許文献】
【０００４】
【特許文献１】特開２０１２−１６３００８号公報
【０００５】
特許文献１に記載されたブローバイガス還流構造は、内燃機関に吸気を供給する吸気管と該吸気管に連通して吸気脈動を抑えるレゾネータとを一体的に構成し、ブローバイガス還流装置によって内燃機関からのブローバイガスを吸気管に還流する車両のブローバイガス還流構造において、レゾネータにレゾネータの外壁から吸気管に向けて凹んで、該レゾネータの断面積を縮小させる絞り部を形成し、レゾネータ内に該絞り部によって分離される、レゾネータチャンバとブローバイガスリターンチャンバとを設け、前記ブローバイガスリターンチャンバをレゾネータチャンバよりも下方に配置し、前記ブローバイガス還流装置からのブローバイガスを前記ブローバイガスリターンチャンバに還流するように構成されている。
【０００６】
このように、特許文献１に記載されたレゾネータのブローバイガス還流構造は、レゾネータチャンバの下方に絞り部によって仕切られるブローバイガスリターンチャンバを配置することで、ブローバイガス還流装置から還流されるブローバイガスの流速を下げてオイルミストからオイルを分離できるとともに、オイルミストの自重でブローバイガスリターンチャンバ内にオイルを溜めることができ、オイルミストの吸気管への流入を防ぐことができる。
【発明の概要】
【発明が解決しようとする課題】
【０００７】
しかし、特許文献１に記載されたブローバイガスの還流構造によれば、レゾネータチャンバ内にブローバイガスリターンチャンバを形成しているので、ブローバイガスがレゾネータチャンバに滞留して吸気管へ適切に還流させることができない可能性があり、ブローバイガスがレゾネータチャンバ内に滞留することで、レゾネータの消音機能を阻害する可能性があるという問題があった。
【０００８】
そこで、本発明は上記問題に鑑みてなされたものであり、簡単な構成で確実にブローバイガスを吸気経路に還流させることができるブローバイガス還流構造を構成することができるレゾネータを提供することを目的とする。
【課題を解決するための手段】
【０００９】
本発明に係るレゾネータは、エアクリーナによって濾過された新気を導入する導入口と、該新気を内燃機関へ送出する送出口を備える経路室と、前記経路室と連通するレゾネータ室とを備えるレゾネータにおいて、前記経路室は、ブローバイガスを導入するとともに、前記経路室と連通するブローバイ室を備えることを特徴とする。
【００１０】
また、本発明に係るレゾネータにおいて、前記導入口、前記送出口が形成された有底筒状のチャンバ部材と、前記チャンバ部材と組み合わされる有底筒状のケース部材と、前記チャンバ部材と前記ケース部材に挟持されて、前記経路室と前記レゾネータ室を画成するセパレータ部材を備え、前記チャンバ部材、前記ケース部材及び前記セパレータ部材は３部材が同時に溶着されると好適である。
【００１１】
また、本発明に係るレゾネータにおいて、前記セパレータ部材は、前記経路室と前記レゾネータ室を画成する画成部と、前記画成部から前記経路室に突出するとともに前記経路室と前記レゾネータ室を連通する連通口が形成される側壁部を備え、前記ブローバイ室は、前記チャンバ部材の内壁、前記側壁部及び前記ケース部材に形成された底部によって画成されると好適である。
【００１２】
上記発明の概要は、本発明の必要な特徴の全てを列挙したものではなく、これらの特徴群のサブコンビネーションもまた発明となり得る。
【発明の効果】
【００１３】
本発明に係るレゾネータは、レゾネータ内に吸気経路となる経路室と、該経路室と連通するレゾネータ室とを有し、経路室にブローバイガスを導入するブローバイ室を備えているので、レゾネータ室内にブローバイガスが滞留することがなく、レゾネータの消音機能を阻害することなく、確実にブローバイガスを吸気経路に還流させることができる。
【００１４】
また、本発明に係るレゾネータにおいて、チャンバ部材、ケース部材及びセパレータ部材の３部材を同時に溶着して経路室、レゾネータ室及びブローバイ室を備えるレゾネータを形成しているので、より簡便にレゾネータを製造することができる。
【００１５】
また、本発明に係るレゾネータにおいて、セパレータ部材が側壁部と画成部を備えているので、チャンバ部材とケース部材でセパレータ部材を挟持することで、経路室、レゾネータ室及びブローバイ室を画成することができる。
【図面の簡単な説明】
【００１６】
【図１】本実施形態に係る吸気装置を説明するための図。
【図２】図１におけるＡ−Ａ断面図。
【図３】本実施形態に係るレゾネータの斜視図。
【図４】本実施形態に係るレゾネータの分解図。
【図５】本実施形態に係るレゾネータの溶着構造を説明するための断面図。
【図６】図５におけるＢ部拡大図。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
図１は、本実施形態に係る吸気装置を説明するための図であり、図２は、図１におけるＡ−Ａ断面図であり、図３は、本実施形態に係るレゾネータの斜視図であり、図４は、本実施形態に係るレゾネータの分解図であり、図５は、本実施形態に係るレゾネータの溶着構造を説明するための断面図であり、図６は、図５におけるＢ部拡大図である。
【００１９】
図１及び２に示すように、本実施形態に係る吸気装置１は、内部に吸入口１２から導入した新気を濾過するフィルタ部材１１を収納し、濾過された新気を排出する排出口１３を有するエアクリーナ１０と、エアクリーナ１０の排出口１３と連結する導入口２４と、導入口２４から導入された新気を内燃機関へ送出する送出口２５を備えた経路室３０と、経路室３０と連通するレゾネータ室４０とを備えるレゾネータ２０とを備えている。
【００２０】
本実施形態に係る吸気装置１は、新気をフィルタ部材１１によって濾過し、新気の導入に伴う吸気音をレゾネータ４０の共振によって吸気脈動を抑えることで低減することができる。レゾネータ４０はその容積を変更することで容易に共振周波数を変更することができるので、吸気音のうち低減したい周波数帯に合わせた容積とすることで、消音効果をより発揮することが可能となる。
【００２１】
図３及び４に示すように、レゾネータ２０は、有底形状のチャンバ部材２１と、チャンバ部材２１と組み合わせてレゾネータ２０を中空体に構成する有底筒状のケース部材２２によってセパレータ部材２３を挟持して構成されている。なお、チャンバ部材２１、ケース部材２２及びセパレータ部材２３はポリプロピレン系樹脂やポリアミド系樹脂等の熱可塑性の合成樹脂によって形成されている。
【００２２】
チャンバ部材２１は、導入口２４及び送出口２５並びに還流口２６が形成されている。また、ケース部材２２は、開口縁部のうち後述するブローバイ室５０に相当する位置に底部５１が形成されている。
【００２３】
セパレータ部材２３は、チャンバ部材２１及びケース部材２２を組み合わせて中空体としたレゾネータ２０の内部を経路室３０とレゾネータ室４０とに画成する画成部２７と、画成部２７から経路室３０側に突出する側壁部２８を有している。側壁部２８の先端には、経路室３０とレゾネータ室４０とを連通する連通口２９が開口している。なお、側壁部２８は、導入口２４から導入された新気が円滑に送出口２５から送出することができるように湾曲している。
【００２４】
図５に示すように、本実施形態に係るレゾネータ２０は、チャンバ部材２１、ケース部材２２及びセパレータ部材２３を組み合わせて構成することで、チャンバ部材２１の内壁２１ａ、セパレータ部材２３の側壁部２８及びケース部材２２の底部５１によって画成されるブローバイ室５０が経路室３０内に形成されている。
【００２５】
図６に示すように、底部５１のセパレータ部材２３と当接する位置には、凹部５２が形成されており、該凹部５２にセパレータ部材２３の先端５３が嵌合するとともに、チャンバ部材２１の先端に形成された溶着部５５と凹部５２によって、セパレータ部材２３の先端５３を挟み込んで溶着している。
【００２６】
このように凹部５２にセパレータ部材２３の先端５３が嵌合しているので、ケース部材２２を金型などに固定して、チャンバ部材２１を加振しても、振動溶着の際に加振方向に位置ずれが生じることがないので、チャンバ部材２１、ケース部材２２及びセパレータ部材２３の位置がずれることなく、確実にチャンバ部材２１、ケース部材２２及びセパレータ部材２３の３部材を確実に溶着することができる。
【００２７】
なお、セパレータ部材２３には、溶着部５５側に突出するバリ隠し部５４が形成されており、該バリ隠し部５４は、溶着部５５に当接している。このようにバリ隠し部５４を溶着部５５に当接させることで、溶着の際に振動溶着によって生じたバリなどを溶着部５５とバリ隠し部５４との間の間隙に保持することで経路室３０やブローバイ室５０内に飛散しないように構成されている。
【００２８】
本実施形態に係るレゾネータ２０は、このようにブローバイガス還流構造を構成しているので、内燃機関で生じたブローバイガスが還流口２６を介してブローバイ室５０内に導入され、側壁部２８の先端とチャンバ部材２１の内壁２１ａの間の間隙を介してブローバイガスを吸気経路に還流することができる。
【００２９】
また、本実施形態に係るレゾネータ２０は、経路室３０にブローバイガスを還流しているので、レゾネータ室４０にブローバイガスが滞留することはなく、レゾネータ２０の消音機能を何ら阻害することはない。
【００３０】
さらに、本実施形態に係るレゾネータ２０は、チャンバ部材２１、ケース部材２２及びセパレータ部材２３の３部材を同時に溶着することができるので、上述したブローバイガス還流構造を容易に構成することができる。
【００３１】
以上説明したように、上述した本実施形態に係るレゾネータでは、導入口２４と送出口２５とをなだらかに繋げるように側壁部２８を湾曲させて形成した場合について説明したが、導入口２４と送出口２５の位置はこれに限られず例えば、互いに面直するように配置して、側壁部２８をストレート状に形成しても構わない。
【００３２】
さらに、本実施形態に係るレゾネータでは、チャンバ部材２１、ケース部材２２及びセパレータ部材２３を振動溶着によって溶着した場合について説明したが、これらの溶着は振動溶着に限られず例えば超音波溶着などを用いても構わない。その様な変更又は改良を加えた形態も本発明の技術的範囲に含まれうることが、特許請求の範囲の記載から明らかである。
【符号の説明】
【００３３】
１  吸気装置，    １０  エアクリーナ，    １１  フィルタ部材，    １２  吸入口，  １３  排出口，    ２０  レゾネータ，    ２１  チャンバ部材，    ２２  ケース部材，    ２３  セパレータ部材，    ２４  導入口，    ２５  送出口，    ２６  還流口，    ２７  画成部，    ２８  側壁部，    ２９  連通口，３０  経路室，    ４０  レゾネータ室，    ５０  ブローバイ室，    ５１  底部，    ５２  凹部，    ５４  バリ隠し部，    ５５  溶着部。
【図１】
2015096705.tif 000003
【図２】
2015096705.tif 000004
【図３】
2015096705.tif 000005
【図４】
2015096705.tif 000006
【図５】
2015096705.tif 000007
【図６】
2015096705.tif 000008